(57)【要約】【課題】放送チャンネルのセクション再多重におけるセクション挿入をより確実にする技術を提供する。【解決手段】放送のトランスポートストリームを蓄積記録する蓄積媒体と、蓄積記録されたトランスポートストリーム中の特定チャンネルのパーシャル化を行いパーシャルトランスポートストリームを出力する再多重化部とを備え前記再多重化部は前記トランスポートストリーム内の時刻情報を取得しこの時刻情報に基づいてセクションデータを作成しこのセクションデータを前記パーシャルトランスポートストリーム内へ挿入することを特徴とする放送録画装置。【選択図】  図３
2011035455.tif 000002
【特許請求の範囲】
【請求項１】
放送のトランスポートストリームを蓄積記録する蓄積媒体と、
この蓄積記録されたトランスポートストリーム中の特定チャンネルのパーシャル化を行いパーシャルトランスポートストリームを出力する再多重化部とを備え、
前記再多重化部は前記トランスポートストリーム内の時刻情報を取得しこの時刻情報に基づいてセクションデータを前記パーシャルトランスポートストリーム内へ挿入することを特徴とする放送録画装置。
【請求項２】
前記再多重化部は前記セクションを挿入する処理の開始時に前記蓄積記録されたトランスポートストリームの入力を停止し、前記処理の終了時にこの入力を再開することを特徴とする請求項１に記載の放送録画装置。
【請求項３】
前記時刻情報はＰＣＲ(Program Clock Reference)であることを特徴とする請求項１に記載の放送録画装置。
【請求項４】
前記時刻情報は前記放送のトランスポートストリームを蓄積記録する際に付されたタイムスタンプであることを特徴とする請求項１に記載の放送録画装置。
【請求項５】
前記再多重化部から出力される前記パーシャルトランスポートストリームを表示する表示部を更に備えたことを特徴とする請求項１に記載の放送録画装置。
【請求項６】
放送のトランスポートストリームを蓄積媒体に蓄積記録し、
蓄積記録されたトランスポートストリーム中の特定チャンネルのパーシャル化を行いパーシャルトランスポートストリームを出力し、
この出力の過程で前記トランスポートストリーム内の時刻情報を取得しこの時刻情報に基づいてセクションデータを前記パーシャルトランスポートストリーム内へ挿入することを特徴とする放送録画方法。
【発明の詳細な説明】
【技術分野】
【０００１】
本発明は、放送録画装置に係わり、特に蓄積媒体に記録されたＴＳ（トランスポートストリーム）のパーシャル化方法に関する。
【背景技術】
【０００２】
通常、一本の放送ＴＳには複数のチャンネルが含まれている。ＴＳ形式での録画時には、特定のチャンネルに属するＴＳパケットを抽出し、いくつかのセクションはそれに合わせて作成し再多重する、パーシャル化という処理を行う。セクションデータの再多重では、規格により挿入の最大周期（時間）が決められている。
【０００３】
放送ＴＳを受信して録画する場合、ＴＳ入力は実時間でほぼ等速である。したがってセクションデータの再多重方法は、セクションの作成・挿入を最大周期以内の一定間隔で繰り返せばよい。
【０００４】
しかし従来よりの問題点として放送ＴＳを蓄積媒体に記録し、その後に特定チャンネルのパーシャル化を行う場合、パーシャルＴＳ作成部へ入力される速度であるＴＳ入力速度は放送で送られてくる速度である実時間と同じではない。したがって従来の方法では、ＴＳ入力速度に合わせてセクション作成・挿入間隔を変更する必要がある（ＴＳ入力速度が２倍速なら、実時間で２秒間隔で挿入していたセクションは１秒間隔で挿入）。
【０００５】
しかし、パーシャル化の速度をベストエフォートで行うようなシステムの場合、ＴＳ入力速度は一定ではなく変動する。このためそもそもＴＳ入力速度を取得できなかったり、取得できても読み出し速度やその他の処理速度に影響され、ＴＳパケット作成・挿入速度を超過し再多重処理に間に合わない可能性がある。すなわち従来のセクションデータ再多重方法では、挿入の最大周期を保証することができない。
【０００６】
関連して特許文献１に記載されているデジタル放送受信機は、IP放送の全チャンネルのIPストリームをそのままの状態で一定時間毎に切り出してHDDへ格納し、視聴するチャンネルのIPパケットをHDDから切り出し、IPパケットからタイムスタンプ付きトランスポートストリームを分離し、タイムスタンプに基づき揺らぎを補正して同期処理を行うというものである。しかしながら、従来のセクション挿入方法では、録画したいストリームが等速度でない場合に正しいタイミングで挿入できないという問題があった。
【先行技術文献】
【特許文献】
【０００７】
【特許文献１】特開２００８−１７３２８号公報
【発明の概要】
【発明が解決しようとする課題】
【０００８】
本発明は、放送チャンネルのセクションデータ再多重におけるセクション挿入をより確実にする技術を提供することを目的とする。
【課題を解決するための手段】
【０００９】
上記課題を解決するために、本発明の放送録画装置は、放送のトランスポートストリームを蓄積記録する蓄積媒体と、蓄積記録されたトランスポートストリーム中の特定チャンネルのパーシャル化を行いパーシャルトランスポートストリームを出力する再多重化部とを備え前記再多重化部は前記トランスポートストリーム内の時刻情報を取得しこの時刻情報に基づいてセクションデータを前記パーシャルトランスポートストリーム内へ挿入することを特徴とする。
【発明の効果】
【００１０】
本発明によれば、放送チャンネルのセクションデータ再多重におけるセクション挿入をより確実にする技術が得られる。
【図面の簡単な説明】
【００１１】
【図１】本発明の一実施形態に係るデジタルテレビジョン放送録画装置の利用環境を示す図。
【図２】同実施形態のデジタルテレビジョン放送録画装置の主要な信号処理系を示すブロック図。
【図３】同実施形態を示す機能ブロック構成図。
【図４】他の実施形態を示す機能ブロック構成図。
【発明を実施するための形態】
【００１２】
以下、本発明の実施形態を説明する。
（実施形態１）
本発明による実施形態１を図１乃至図３を参照して説明する。
なお、デジタルテレビジョン放送については標準化されており、規格で定められる詳細については本明細書においてその説明を省略する。
はじめに、図１に、本発明の一実施形態に係るデジタルテレビジョン放送録画装置１０１の利用環境を示す。
図１に示すように、デジタルテレビジョン放送録画装置１０１は、その入力側にＢＳ／ＣＳデジタル放送受信用のアンテナ１２１と地上波放送受信用のアンテナ１２２が接続され、出力側にデジタルテレビジョン放送受像器１１１が接続される。デジタルテレビジョン放送録画装置１０１は、受信したデジタルテレビジョン放送信号を復調、復号処理の復号のデコードをすることにより番組をフルＴＳで記録可能である。また、デジタルテレビジョン放送録画装置１０１は、放送中の番組または記録された番組の映像信号および音声信号をデジタルテレビジョン放送受像器１１１に供給し、これら信号の表示部であるデジタルテレビジョン放送受像器１１１にてユーザが番組を視聴できるようになっている。
【００１３】
また、図１（及び後述の図２）に示すデジタルテレビジョン放送録画装置１０１は、ＢＳ／ＣＳデジタル放送受信用と地上波放送受信用の２系統のみ簡易的に図示しているが、本実施形態のデジタルテレビジョン放送録画装置１０１は、マルチチャネルの番組を録画可能であり、このためにＢＳ／ＣＳデジタル放送受信用と地上波放送受信用ともにそれぞれ複数のチューナ等の受信回路を備える構成となっている。
【００１４】
続いて、デジタルテレビジョン放送録画装置１０１のハードウェア構成について説明する。
図２は、上記したデジタルテレビジョン放送録画装置１０１の主要な信号処理系を示すブロック図である。
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
【００１５】
チューナ２０２ａは、制御部２０５からの制御信号により所望のチャネルの放送信号を選局し、この選局された放送信号をＰＳＫ（Phase Shift Keying）復調器２０２ｂに出力する。
【００１６】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１７】
ＴＳ復号器２０２ｃは、制御部２０５からの制御信号とＰＳＫ復調器２０２ｂから入力された信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファ（図示せず）へ出力する。
【００１８】
また、ＴＳ復号器２０２ｃは、デジタル放送により送られているセクション情報を信号処理部２０６内のセクション処理部（図示せず）へ出力する。
地上波放送受信用のアンテナ１２２で受信した地上デジタルテレビジョン放送信号は、入力端子２０３を介して地上デジタル放送用のチューナ２０４ａに供給される。
【００１９】
チューナ２０４ａは、制御部２０５からの制御信号により所望のチャネルの放送信号を選局し、この選局された放送信号をＯＦＤＭ（Orthogonal Frequency Division Multiplexing）復調器２０４ｂに出力する。
【００２０】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００２１】
ＴＳ復号器２０４ｃは、制御部２０５からの制御信号とＯＦＤＭ復調器２０４ｂから入力された信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファへ出力する。
【００２２】
また、ＴＳ復号器２０４ｃは、デジタル放送により送られているセクション情報を信号処理部２０６内のセクション処理部２０６ａへ出力する。
ここで、上記信号処理部２０６は、テレビ視聴時には、ＴＳ復号器２０２ｃおよびＴＳ復号器２０４ｃからそれぞれ供給されたデジタルの映像信号及び音声信号であるＰＥＳに対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号であるＰＥＳに対して、選択的に所定のデジタル信号処理を施した信号を、制御部２０５を介して記録装置（例えば、ＨＤＤ）２７０に記録している。また、信号処理部２０６は、録画番組再生時には、制御部２０５を介して記録装置（例えば、ＨＤＤ）２７０から読み出された録画番組のデータに、所定のデジタル信号処理を施し、グラフィック処理部２０７及び音声処理部２０８に出力している。
【００２３】
制御部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。
【００２４】
制御部２０５は、これら入力された情報からＥＰＧ，字幕を表示するため画像生成処理を行い、この生成した画像情報をグラフィック処理部２０７へ出力する。
また、この制御部２０５は、番組録画および番組予約録画を制御する機能を有し、番組予約受付時には、外部の表示装置（例えば、デジタルテレビジョン放送受像器）に電子番組ガイド（ＥＰＧ）情報を表示し、操作部２２０またはリモートコントローラ２２１を介したユーザ入力により予約内容を所定の記憶手段に設定する。そして、設定された時刻に予約番組を録画するようチューナ２０２ａ，２０４ａ、ＰＳＫ復調器２０２ｂ，２０４ｂ、ＴＳ復号器２０２ｃ，２０４ｃおよび信号処理部２０６を制御する。また、丸録り録画機能として録画可能な全チャネルの番組を自動録画する際は、時刻にかかわらず各デバイスを制御し録画を行う。
【００２５】
信号処理部２０６内のセクション処理部２０６ａは、ＴＳ復号器２０２ｃ（２０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２０５へ出力する。
【００２６】
グラフィック処理部２０７は、（１）信号処理部２０６内のＡＶデコーダ（図示せず）から供給されるデジタルの映像信号と、（２）ＯＳＤ（On Screen Display）信号生成部２０９で生成されるＯＳＤ信号と、（３）データ放送による画像データと、（４）制御部２０５により生成されたＥＰＧ，字幕信号とを合成して映像処理部２１０へ出力する機能を有する。
【００２７】
また、字幕放送による字幕を表示するとき、グラフィック処理部２０７は、制御部２０５からの制御による字幕情報に基づき、映像信号上に字幕情報を重畳する処理を行う。
【００２８】
グラフィック処理部２０７から出力されたデジタルの映像信号は、映像処理部２１０に供給される。この映像処理部２１０は、入力されたデジタルの映像信号を、デジタルテレビジョン放送受像器１１１で表示可能なフォーマットのアナログ映像信号に変換した後、出力端子２１１を介してデジタルテレビジョン放送受像器１１１に出力して映像表示させる。
【００２９】
また、上記音声処理部２０８は、入力されたデジタルの音声信号を、デジタルテレビジョン放送受像器１１１で再生可能なフォーマットのアナログ音声信号に変換した後、出力端子２１２を介してデジタルテレビジョン放送受像器１１１に出力して音声再生させる。
【００３０】
ここで、このデジタルテレビジョン放送受信装置１０１は、上記した各種の受信動作を含むその全ての動作を制御部２０５によって統括的に制御されている。この制御部２０５は、ＣＰＵ（Central Processing Unit）等を内蔵しており、操作部２２０からの操作情報を受け、または、リモートコントローラ２２１から送出された操作情報を、受光部２２２を介して受信し、その操作内容が反映されるように各部をそれぞれ制御している。
【００３１】
この場合、制御部２０５は、主として、そのＣＰＵが実行する制御プログラムを格納したＲＯＭ（Read Only Memory）２０５ａと、当該ＣＰＵに作業エリアを提供するＲＡＭ（Random Access Memory）２０５ｂと、各種の設定情報及び制御情報等が格納される不揮発性メモリ２０５ｃとを利用している。
【００３２】
また、この制御部２０５は、カードＩ／Ｆ（Interface）２２３を介して、第１のメモリカード２２４が装着可能なカードホルダ２２５に接続されている。これによって、制御部２０５は、カードホルダ２２５に装着された第１のメモリカード２２４と、カードＩ／Ｆ２２３を介して情報伝送することができる。
【００３３】
さらに、上記制御部２０５は、カードＩ／Ｆ２２６を介して、第２のメモリカード２２７が装着可能なカードホルダ２２８に接続されている。これにより、制御部２０５は、カードホルダ２２８に装着された第２のメモリカード２２７と、カードＩ／Ｆ２２６を介して情報伝送することができる。
【００３４】
また、上記制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器（例えば、外付けＨＤＤ）と、通信Ｉ／Ｆ２２９を介して情報伝送することができる。この場合、制御部２０５は、ＤＨＣＰ（Dynamic Host Configuration Protocol）サーバ機能を有し、第１のＬＡＮ端子２３０に接続されたＬＡＮ対応の機器にＩＰ（Internet Protocol）アドレスを割り当てて制御している。
【００３５】
さらに、上記制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００３６】
また、上記制御部２０５は、ＵＳＢ  Ｉ／Ｆ２３３を介してＵＳＢ端子２３４に接続されている。これにより、制御部２０５は、ＵＳＢ端子２３４に接続された各種機器と、ＵＳＢ  Ｉ／Ｆ２３３を介して情報伝送することができる。
【００３７】
さらに、上記制御部２０５は、ｉ．ＬＩＮＫ  Ｉ／Ｆ２３５を介してｉ．ＬＩＮＫ端子２３６に接続されている。これにより、制御部２０５は、ｉ．ＬＩＮＫ端子２３６に接続された各種機器と、ｉ．ＬＩＮＫ  Ｉ／Ｆ２３５を介して情報伝送することができる。
【００３８】
また、制御部２０５は、この発明に係わる機能部として、セクション抽出制御機能２５０を備えている。制御部２０５は、このセクション抽出制御機能２５０により、下記のセクション抽出制御を行う。
【００３９】
図２に示すブロック２６０ではＴＳ復号器２０２ｃ（２０４ｃ）により復号されたセクションは、セクション毎に分離・抽出される。そして抽出されたセクション毎の列は、再構成されて（セクション生成）、チャネル毎に信号処理部２０６へ供給される。
【００４０】
本実施形態におけるセクション抽出では、制御部２０５のセクション抽出制御機能２５０により、録画対象番組のデータストリームの記録処理（録画処理）に対する各セクションの抽出処理制御を行う。
【００４１】
図３は、この発明の一実施形態を示す図２の制御部２０５を中心とする機能ブロック構成図を示している。
図３中で、図２の記録装置２７０に対応するＨＤＤ３１にはフルＴＳである放送ＴＳがそのまま記録されており、制御部２０５内の入力部３２でこの放送ＴＳを放送で送られてくるスピードよりも速い速度で読み出し、ＴＳ分離部４３でセクションやＰＣＲ(Program Clock Reference)、ＡｕｄｉｏＥＳ(Elementary Stream)、ＶｉｄｅｏＥＳ(Elementary Stream)を分離し、後段の各処理部に渡す。例えばＰＣＲは、時刻取得部３４へ渡す。
【００４２】
時刻取得部３４ではストリーム内の時刻情報をＰＣＲから取得し、一定の時間間隔が経過したらセクション再多重部３５にこの時刻情報を通知する。
セクション再多重部３５では、時刻取得部３４からの通知が来たら、ＴＳ分離部４３から送られてきたパーシャルＴＳ用のストリームに対して、セクションの作成・挿入を行う。
【００４３】
セクション解析部４６はパーシャル化に必要な各種のセクションの解析を行う。
日本国内ではＡＲＩＢによりパーシャルＴＳのセクション挿入の最大周期が定められている。例えば地デ上デジタル放送ではＡＲＩＢＴＲ−B１４ 第二編第８章 にて、パーシャルＴＳのセクション挿入の最大周期がＰＡＴ＝１２０ｍｓｅｃ、ＰＭＴ＝１２０ｍｓｅｃ、ＳＩＴ＝３．６ｓｅｃと定められている。
【００４４】
放送ＴＳを蓄積媒体に記録しその後に特定チャンネルのパーシャル化を行うような機器において、ＴＳ入力速度が大きく変化する場合でも指定した一定の間隔でセクションデータを再多重することができるようになり、セクションデータ再多重の際に挿入の最大周期が規格値を超えないようにすることができる。
【００４５】
（実施形態２）
本発明による実施形態２を図１乃至図２及び図４を参照して説明する。実施形態１と共通する部分は説明を省略する。
図４は、この発明の一実施形態を示すブロック構成図を示している。
図４中で、ＨＤＤ４１には放送ＴＳがタイムスタンプ付きのＴＴＳに制御部２０５により予め変換されて記録されており、入力部４２でこのＴＴＳを読み出し、ＴＳ分離部４３でセクションやＰＣＲ、ＡｕｄｉｏＥＳ、ＶｉｄｅｏＥＳを分離し、後段の各処理部に渡す。
【００４６】
時刻取得部４４ではストリーム内の時刻情報をＴＴＳから取得し、一定の時間間隔が経過したらセクション再多重部４５に通知すると共に入力部４２に一時停止を指示する。
【００４７】
セクション再多重部４５では、時刻取得部４４からの通知が来たら、ＴＳ分離部４３から送られてきたパーシャルＴＳ用のストリームに対して、セクションの作成・挿入を行い、その後に入力部４２に入力の再開を指示する。
【００４８】
セクション解析部４６はパーシャル化に必要な各種のセクションの解析を行う。
実施形態１においては、セクション再多重部３５の処理のオーバーフローまたはアンダーフローが発生する可能性があり、これらの発生による不具合が大きいときには画像に破綻を生ずることがある。本実施形態では、入力部４２に対しセクション再多重部３５の処理と同期させる上記のような制御を行うことによって画像の破綻を防止している。
【００４９】
上記実施形態のポイントとして、放送ＴＳを蓄積媒体に記録しその後に特定チャンネルのパーシャル化を行うような機器において、ストリーム内の時刻情報を取得し指定間隔ごとに通知を行い、同時に挿入が済むまでストリーム入力部で入力を停止し、セクション再多重部３５は通知を受けてセクションの作成・挿入を行い、挿入し終わったらストリーム入力部に入力再開を指示する。
【００５０】
この効果として、ＴＳ入力速度が大きく変化する場合でも指定した一定の間隔でセクションデータを再多重することができるようになり、セクションデータ再多重の際に挿入の最大周期が規格値を超えないようにすることができる。
【００５１】
なお、この発明は上記実施形態に限定されるものではなく、この外その要旨を逸脱しない範囲で種々変形して実施することができる。例えば蓄積媒体はＨＤＤに限らず、ＳＤメモリーカードのようなものでもよい。
【００５２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５３】
３１…ＨＤＤ、３２…入力部、３４…時刻取得部、３５…セクション再多重部、４１…ＨＤＤ、４２…入力部、４３…ＴＳ分離部、４４…時刻取得部、４５…セクション再多重部、４６…セクション解析部、１０１…デジタルテレビジョン放送録画装置、１１１…デジタルテレビジョン放送受像器、１２１…ＢＳ／ＣＳデジタル放送受信用のアンテナ、１２２…地上波放送受信用のアンテナ、２０２ａ、２０４ａ…チューナ、２０２ｂ…ＰＳＫ復調器、２０４ｂ…ＯＦＤＭ復調器、２０２ｃ、２０４ｃ…ＴＳ復号器、２０５…制御部、２０６…信号処理部、２５０…セクション抽出制御機能、２７０…記録装置、２２０…操作部、２２１…リモートコントローラ。
【図１】
2011035455.tif 000003
【図２】
2011035455.tif 000004
【図３】
2011035455.tif 000005
【図４】
2011035455.tif 000006
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
放送のトランスポートストリームを蓄積媒体に蓄積記録する記録制御部と、
前記蓄積媒体に蓄積記録されたトランスポートストリームを入力する入力部と、
この入力されたトランスポートストリーム中の特定チャンネルのパーシャル化を行いパーシャルトランスポートストリームを出力する再多重化部とを備え、
前記再多重化部は前記トランスポートストリーム内の時刻情報を取得しこの時刻情報の一定の時間間隔が経過したらセクションデータを前記パーシャルトランスポートストリーム内へ挿入する処理を開始し、この処理の開始時に前記入力部による前記トランスポートストリームの入力を一時停止させ、前記処理の終了時にこの入力部によるトランスポートストリームの入力を再開させることを特徴とする放送録画装置。
【請求項２】
前記時刻情報はＰＣＲ(Program Clock Reference)であることを特徴とする請求項１に記載の放送録画装置。
【請求項３】
前記時刻情報は前記放送のトランスポートストリームを蓄積記録する際に付されたタイムスタンプであることを特徴とする請求項１に記載の放送録画装置。
【請求項４】
前記再多重化部から出力される前記パーシャルトランスポートストリームを表示する表示部を更に備えたことを特徴とする請求項１に記載の放送録画装置。
【請求項５】
放送のトランスポートストリームを蓄積媒体に蓄積記録し、
この蓄積記録されたトランスポートストリームを入力し、
この入力されたトランスポートストリーム中の特定チャンネルのパーシャル化を行いパーシャルトランスポートストリームを出力し、
この出力の過程で前記トランスポートストリーム内の時刻情報を取得しこの時刻情報の一定の時間間隔が経過したらセクションデータを前記パーシャルトランスポートストリーム内へ挿入する処理を開始し、この処理の開始時に前記入力部による前記トランスポートストリームの入力を一時停止させ、前記処理の終了時にこの入力部によるトランスポートストリームの入力を再開させることを特徴とする放送録画方法。
【手続補正２】
【補正対象書類名】明細書
【補正対象項目名】０００９
【補正方法】変更
【補正の内容】
【０００９】
上記課題を解決するために、本発明の放送録画装置は、放送のトランスポートストリームを蓄積媒体に蓄積記録する記録制御部と、前記蓄積媒体に蓄積記録されたトランスポートストリームを入力する入力部と、この入力されたトランスポートストリーム中の特定チャンネルのパーシャル化を行いパーシャルトランスポートストリームを出力する再多重化部とを備え、前記再多重化部は前記トランスポートストリーム内の時刻情報を取得しこの時刻情報の一定の時間間隔が経過したらセクションデータを前記パーシャルトランスポートストリーム内へ挿入する処理を開始し、この処理の開始時に前記入力部による前記トランスポートストリームの入力を一時停止させ、前記処理の終了時にこの入力部によるトランスポートストリームの入力を再開させることを特徴とする。
【手続補正３】
【補正対象書類名】明細書
【補正対象項目名】００４２
【補正方法】変更
【補正の内容】
【００４２】
時刻取得部３４ではストリート内の時刻情報をＰＣＲから取得し、この時刻情報の一定の時間間隔が経過したらセクション再多重部３５にこの時刻情報を通知する。
セクション再多重部３５では、時刻取得部３４からの通知が来たら、ＴＳ分離部４３から送られてきたパーシャルＴＳ用のストリームに対して、セクションの作成・挿入を行う。
【手続補正４】
【補正対象書類名】明細書
【補正対象項目名】００４６
【補正方法】変更
【補正の内容】
【００４６】
時刻取得部４４ではストリート内の時刻情報をＴＴＳから取得し、この時刻情報の一定の時間間隔が経過したらセクション再多重部４５に通知すると共に入力部４２に一時停止を指示する。